(57)【要約】【要約書】【目的】  ケースに対して上下に往復運動する第１ドア用第１摺動ピンと、それに並設され、前記ケースに対して上下に往復運動する第２ドア用第２摺動ピンが、第１ドアの開／閉と第２ドアの開／閉の組み合わせに応じて往復動作することにより、接続された電気機器の動作を断続させる貯蔵庫用ドアスイッチにおいて、第１摺動ピンがケース内へ押し込まれた際に、第１摺動ピンに可動的に緩く嵌められた第１可動片が斜めに傾き、接触が不確実になることを防止した貯蔵庫用ドアスイッチを提供する。このために、第１可動片支持足を下方へ折り曲げ形成しすることも考えられるが、それでも十分ではなかった。【構成】  第２固定片の接触位置とほぼ同一高さの第１可動片係止部材を設け、第４固定片との接触位置とほぼ同一高さの第２可動片係止部材を立設し第１可動片、第２可動片の傾きによる接触不良を減少させることを特徴とする。【選択図】  図５
2004170069.tif 000002
【特許請求の範囲】
【請求項１】
スイッチケース(1)の上面に貫通して前記ケース(1)の上下へ延び、前記ケース(1)の上面に配設された第１管状ガイド(110)の内壁に摺動して前記ケース(1)に対して上下に往復運動する第１ドア用第１摺動ピン(103)と、前記第１摺動ピン(103)の延長上の前記ケース内にあって常時前記第１摺動ピン(103)を前記ケース上方へ付勢する第１コイルバネ(104)と、前記第１摺動ピン(103)の前記ケース内側の一端に設けた第１ストッパ(105)に当接するように前記第１摺動ピン(103)の周囲に可動的に嵌められた第１可動片(106)と、前記ケース内にのびた前記第１摺動ピン(103)の周囲に前記第１可動片(106)と間隔を保って配設された第１固定片(107)と、一端が前記第１可動片(106)に当接し他端が前記第１固定片(107)に当接して前記第１摺動ピン(103)に巻装され前記第１可動片(106)を前記第１ストッパ(105)に押圧保持する導電体の第２コイルバネ(108)と、前記第１摺動ピン(103)の往復動作に応じて前記第１可動片(106)と当接／離間する第２固定片(109)とから構成された第１スイッチ(102)と、
前記ケース(1)の上面に貫通して前記ケース(1)の上下へ延び、前記ケース(1)の上面に配設された第２管状ガイド(210)の内壁に摺動して前記ケース(1)に対して上下に往復運動する第２ドア用第２摺動ピン(203)と、前記第２摺動ピン(203)の延長上の前記ケース内にあって常時前記第２摺動ピン(203)を前記ケース上方へ付勢する第３コイルバネ(204)と、前記第２摺動ピン(203)の前記ケース内側の一端に設けた第２ストッパ(205)に当接するように前記第２摺動ピン(203)の周囲に可動的に嵌められた第２可動片(206)と、前記ケース内にのびた前記第２摺動ピン(203)の周囲に前記第２可動片(206)と間隔を保って配設された第３固定片(207)と、一端が前記第２可動片(206)に当接し他端が前記第３固定片(207)に当接して前記第２摺動ピン(203)に巻装され前記第２可動片(206)を前記第２ストッパ(205)に押圧保持する導電体の第４コイルバネ(208)と、前記第２摺動ピン(203)の往復動作に応じて、前記第２可動片(206)と当接／離間する複数の第４固定片(209a,209b)とから構成された第２スイッチ(202)とが並設されると共に、
前記第１ないし第４固定片を前記ケース外部と電気的に接続するために前記ケース(1)から露出して設けられたコンタクト(3)と、そのコンタクト(3)の絶縁保護のためにその外周に設けられたコネクタシェル(2)とから構成されたコネクタ(4)を備え、
前記第１ドアの開／閉と前記第２ドアの開／閉の組み合わせに応じて、前記コネクタ(4)に接続された電気機器の動作を断続させるための貯蔵庫用ドアスイッチにおいて、
前記第１可動片(106)は、前記第２固定片(109)と接触する接点爪(106a)と前記第１摺動ピン(103)の中心とを結ぶ仮想直線に対して互いに線対称状に形成されて前記ケース(1)の内壁に接する２つの安定爪(106c,106d)を備えて平面形状に形成され、
前記第２可動片(206)は、前記第１可動片(106)と同一形状であって、前記第４固定片(209a,209b)と接触する接点爪(206a)と前記第２摺動ピン(203)の中心とを結ぶ仮想直線に対して互いに線対称状に形成されて前記ケース(1)の内壁に接する２つの安定爪(206c,206d)を備えて平面形状に形成され、
前記ケース(1)の下面の前記第１可動片(106)の２つの安定爪のそれぞれに対応する位置に、前記第１摺動ピン(103)が前記ケース下方へ押し込まれた状態における、前記第１可動片(106)の接点爪(106a)と前記第２固定片(109)との接触位置の前記下面からの距離とほぼ同一高さの第１可動片係止部材(112c,112d)を立設し、
前記ケース(1)の下面の前記第２可動片(206)の２つの安定爪のぞれぞれに対応する位置に、前記第２摺動ピン(103)が前記ケース下方へ押し込まれた状態における、前記第２可動片(206)の接点爪と前記第４固定片との接触位置の前記下面からの距離とほぼ同一高さの第２可動片係止部材(212c,212d)を立設したことを特徴とする貯蔵庫用ドアスイッチ。
【請求項２】
前記第１及び第２可動片(106,206)には、それらの互いの形状の同一性を保持しつつ、それぞれ誤装着防止爪(106e,206e)が形成される一方、前記ケース(1)には、前記第１及び第２可動片(106,206)が表裏正しく装着された場合には前記第１及び第２可動片(106,206)のそれぞれの前記誤装着防止爪(106e,206e)に干渉しないが、表裏を誤って装着された場合には、前記第１及び第２可動片(106,206)のそれぞれの誤装着防止爪に干渉する第１及び第２の干渉部材(111,211)が設けられていることを特徴とする請求項１記載の貯蔵庫用ドアスイッチ。
【請求項３】
前記第１摺動ピン(103)及び第２摺動ピン(203)のそれぞれの前記ケース内側の一端に設けられた前記第１及び第２ストッパ(105,205)の下部は、面取り形状に形成されていることを特徴とする請求項１または２記載の貯蔵庫用ドアスイッチ。
【発明の詳細な説明】
【技術分野】
【０００１】
本発明は、冷蔵庫等の貯蔵庫に用いられ、そのドアの開／閉に応じて庫内冷気を循環させるための電動送風機等の電気機器の動作を断続させるための貯蔵庫用ドアスイッチに関する。
【背景技術】
【０００２】
外力にて摺動ピンが上下往復運動することにより接点を開閉する押圧スイッチとして、特許文献１、特許文献２、特許文献３に記載されたものがある。
【０００３】
特許文献１記載のものは、作動捍の押圧により接点の切換えがスナップアクションにて行われるものであり、作動捍の側面を作動板が押圧して接点の切換えが行われるものである。
【０００４】
したがって、作動捍の往復運動が上下に行われるように作動捍とケースとの摺動嵌合にガタツキがないことが要求される。このガタツキがないことと合わせて作動捍が作動板にて横方向に力を受けるため、作動捍とケースとの摩擦が大きくなり、作動捍の復帰が不十分になったり、また作動捍が摩耗して作動捍とケースとのガタツキが生じて正確なスイッチ動作が得られなくなる欠点を持つ。
【０００５】
一方、特許文献２または特許文献３記載のものは、作動捍に側面押圧力はかかり難いが、構成が複雑となる欠点があった。
【０００６】
そこで、本願発明の出願人は、上記従来の問題点を解決するものとして、特許文献４において、構造が簡単で、接点の切換の動作が安定した貯蔵庫用ドアスイッチを提案した。
【０００７】
図１１に、上記従来の貯蔵庫用ドアスイッチの縦断側面図を示す。同図において、貯蔵庫用ドアスイッチは、スイッチ本体となるスイッチケース１に、互いに並設されたほぼ同一構成の第１スイッチ１０２、第２スイッチ２０２、及び、後述するケース１内の各固定片を、前記ケース１外部と電気的に接続するために前記ケース１から露出して設けられたコンタクト３と、そのコンタクト３の絶縁保護のためにその外周に設けられたコネクタシェル２とから構成されたコネクタ４からなる。
【０００８】
第１スイッチ１０２は、スイッチケースの上面に貫通して前記ケースの上下へ延び、前記ケースに対して上下に往復運動する第１ドア用第１摺動ピン１０３と、その第１摺動ピン１０３が挿入され、その第１摺動ピン１０３がその内壁に摺動することにより上下往復運動を支えるために前記ケース１の上面に配設された第１管状ガイド１１０と、前記第１摺動ピン１０３の延長上の前記ケース１内にあって常時前記第１摺動ピン１０３を前記ケース１上方へ付勢する第１コイルバネ１０４と、前記第１摺動ピン１０３の前記ケース１内側の一端に設けた第１ストッパ１０５に当接するように前記第１摺動ピン１０４の周囲に可動的に嵌められた第１可動片１０６と、前記ケース１内にのびた前記第１摺動ピン１０３の周囲に前記第１可動片１０６と間隔を保って配設された第１固定片１０７と、一端が前記第１可動片１０６に当接し他端が前記第１固定片１０７に当接して前記第１摺動ピン１０３に巻装され前記第１可動片１０６を前記第１ストッパ１０５に押圧保持する導電体の第２コイルバネ１０８と、前記第１摺動ピン１０３の往復動作に応じて前記第１可動片１０６と当接／離間する第２固定片１０９とから構成されている。
【０００９】
このように構成される第１スイッチ１０２の摺動ピン１０３は、貯蔵庫のドアの開閉に伴って、第１コイルバネ１０４の復元力によりケース上方へ付勢されつつケース１内に押し込まれたり、第１コイルバネ１０４の復元力によりケース上方へ押し戻されたりする。
【００１０】
第１摺動ピン１０３がケース１内に押し込まれる場合、第１可動片１０６は、第２コイルバネの復元力により、第１ストッパ１０５に押圧保持されつつ第１摺動ピンと共に、下方へ移動する。そして、第２固定片１０９と当接する位置まで移動すると、第１可動片の接点爪１０６ａは、第２固定片１０９係止される。
【００１１】
更に第１摺動ピン１０３が押し込まれると、文字通りケース１に固定されている第２固定片１０９に係止された第１可動片１０６は、他端が第１固定片に係止されている第２コイルバネ１０８の復元力に抗してその第２コイルバネ１０８を収縮させつつ第２固定片１０９の高さに留まる。したがって、第１可動片１０６は、もはや、第１ストッパ１０５に押圧保持されていない。
【００１２】
その状態から、第１コイルバネ１０４の復元力によりケース上方へ押し戻される場合は、その逆の過程をたどる。つまり、第１ストッパ１０５が第２固定片１０９の高さまで戻されると、第１可動片１０６は、再び第１ストッパ１０５に押圧保持される。
【００１３】
更に第１摺動ピン１０３がケース上方へ押し戻されると、第１可動片１０６は、第２コイルバネ１０８の復元力により第１ストッパに押圧保持されつつ第１摺動ピン１０３と一体的に移動する。
【００１４】
以上の動作により、第１可動片１０６と、第２固定片とが、第１摺動ピン１０３の往復動作に応じて当接／離間することにより、第２コイルバネ１０８を介して第１可動片１０６と電気的に接続された第１固定片１０７と、第２固定片１０９とが電気的に接続され、それら固定片と電気的に接続されたコンタクト３につながれた電気機器の動作が断続される。
【００１５】
第２スイッチ２０２は、ほぼ第１スイッチ１０２と同一構成であるため説明を省略するが、第２スイッチ２０２には、第２摺動ピン２０３が押し込まれていない状態で第２可動片２０６の接点爪２０６ａと当接する上側第４固定片２０９ａが設けられている。
【００１６】
この第２可動片２０６と、上側第４固定片２０９ａとが、第２摺動ピン２０３の往復動作に応じて当接／離間することによっても、コンタクト３につながれた電気機器を断続することができる。また、下側第４固定片２０９ｂは、第２固定片１０９と同様のものである。なお、上側第４固定片２０９ａと同様のものは、第１スイッチ１０２にも設けることができ、それらの固定片を、ケース１内部で電気的に接続することも可能である。
【００１７】
以上の構成により、第１ドアの開／閉と第２ドアの開／閉の組み合わせに応じて、前記コネクタ４に接続された電動送風機や室内灯等の電気機器の動作の断続が可能な、構造が簡単で、接点の切換の動作が安定した貯蔵庫用ドアスイッチが得られる。
【特許文献１】実開昭４９−３２２７４号公報
【特許文献２】実開昭４９−５０８６０号公報
【特許文献３】実開昭４８−４４０６２号公報
【特許文献４】実公平２−３９３０４号公報
【発明の開示】
【発明が解決しようとする課題】
【００１８】
しかし、上記従来の貯蔵庫用ドアスイッチには、以下に説明する問題点があった。
【００１９】
第１の問題点は、第１摺動ピン１０３が人間の手により押し込まれた場合等における電気的安全性の確保のために必要な絶縁距離Ｄを確保するために、管状ガイド１１０が、ケース上面から上方へほぼ絶縁距離Ｄだけ突出しているため、貯蔵庫用ドアスイッチが実質的に大型化してしまうということである。
【００２０】
第２の問題点は、コネクタ４がケース本体から突出して設けられているため、その分貯蔵庫用ドアスイッチが実質的に大型化してしまうということである。
【００２１】
第３の問題点は、第１摺動ピン１０３に可動的に緩く嵌められた第１可動片１０６が、第１摺動ピン１０３がケース１内へ押し込まれた際に、第１可動片１０６の接点爪１０６ａの一点のみが第２固定片１０９に当接しつつ、第２コイルバネ１０８により押圧されるため、第１可動片１０６が水平を保つことができずに斜めに傾き、接点爪１０６ａと、第２固定片１０９との接触が不確実になるということである。なお、第２可動片２０６についても同様である。
【００２２】
その第３の問題点を解決するために、図１２の概略斜視図に示すように、第１可動片１０６の第１摺動ピン１０３に対して接点爪１０６ａとほぼ対向する位置に、第１可動片支持足１０６ｂを下方へ折り曲げ形成し、第１摺動ピン１０３が貫通した前記上面と対向する下面の、第１可動片支持足１０６ｂに対応する位置に、その上端を平面に形成した第１支持足保持部材５を形成したものがある。なお、図１２、１３及び１４に示されるもののうち、図１１と同一または相当するものについては同一符号を付して説明を省略する。
【００２３】
図１２において、第１支持足保持部材５を長くしないで短くし、第１可動片支持足１０６ｂを短くしないで長くしているのには理由がある。
【００２４】
つまり、第１支持足保持部材５の上端は、その上端に点接触する第１可動片支持足１０６ｂを支える必要があるために十分な平坦さが要求される一方、第１支持足保持部材５は、通常ケース１の下側部と一体的に樹脂等により射出成形されるため、その高さを高くする場合には、射出成形の型の第１支持足保持部材５の上端に対応する位置に空気を逃がすための孔を設けないとすれば、その孔からはみ出す樹脂によるバリは生じないが、逆にそこに空気が混入してその高さが安定しないという問題がある。
【００２５】
孔を設けれるとすれば、空気は混入しないためその高さが安定するが、逆に、その孔からはみ出す樹脂によりバリが生じ、平坦な上端を得ることができない。そこで、空気を逃がすための孔を設けないことにより上端を平坦に形成する代償として、第１支持足保持部材５の高さを低く抑えざるをえない。
【００２６】
図１３に、第１可動片１０６の平面図を示す。同図において、第１可動片支持足１０ｂが第１摺動ピン１０３に対して接点爪１０６ａと対向する位置から多少オフセットして形成されているのは、対向する位置に配置すると、スイッチの大型化を招くためである。
【００２７】
しかし、図１２及び図１３に示される構成によっても、図１４に模式的に示されるように、第１可動片支持足１０６ｂが第１支持足保持部材５を支点として第１可動片１０６を支える力と、接点爪１０６ａが、それが当接する第２固定片１０９から受ける反作用の力は、第１可動片１０６を水平に保つようには作用しない一方、、第１可動片１０６が、第１摺動ピン１０３に緩く嵌められているため、第１可動片１０６が傾き、接点爪１０６ａと、第２固定片１０９との電気的接触が不安定になる問題が残されていた。なお、図１２に示す第２スイッチ２０２についても、第１スイッチ１０２と同様である。
【００２８】
本発明は係る事情に鑑みてなされたものであり、第３の問題点を解決する小型で信頼性の高い貯蔵庫用ドアスイッチを提供することを目的とする。
【課題を解決するための手段】
【００２９】
請求項１記載の貯蔵庫用ドアスイッチは、スイッチケースの上面に貫通して前記ケースの上下へ延び、前記ケースの上面に配設された第１管状ガイドの内壁に摺動して前記ケースに対して上下に往復運動する第１ドア用第１摺動ピンと、前記第１摺動ピンの延長上の前記ケース内にあって常時前記第１摺動ピンを前記ケース上方へ付勢する第１コイルバネと、前記第１摺動ピンの前記ケース内側の一端に設けた第１ストッパに当接するように前記第１摺動ピンの周囲に可動的に嵌められた第１可動片と、前記ケース内にのびた前記第１摺動ピンの周囲に前記第１可動片と間隔を保って配設された第１固定片と、一端が前記第１可動片に当接し他端が前記第１固定片に当接して前記第１摺動ピンに巻装され前記第１可動片を前記第１ストッパに押圧保持する導電体の第２コイルバネと、前記第１摺動ピンの往復動作に応じて前記第１可動片と当接／離間する１つまたは複数の第２固定片とから構成された第１スイッチと、前記ケースの上面に貫通して前記ケースの上下へ延び、前記ケースの上面に配設された第２管状ガイドの内壁に摺動して前記ケースに対して上下に往復運動する第２ドア用第２摺動ピンと、前記第２摺動ピンの延長上の前記ケース内にあって常時前記第２摺動ピンを前記ケース上方へ付勢する第３コイルバネと、前記第２摺動ピンの前記ケース内側の一端に設けた第２ストッパに当接するように前記第２摺動ピンの周囲に可動的に嵌められた第２可動片と、前記ケース内にのびた前記第２摺動ピンの周囲に前記第２可動片と間隔を保って配設された第３固定片と、一端が前記第２可動片に当接し他端が前記第３固定片に当接して前記第２摺動ピンに巻装され前記第２可動片を前記第２ストッパに押圧保持する導電体の第４コイルバネと、前記第２摺動ピンの往復動作に応じて、前記第２可動片と当接／離間する一つまたは複数の第４固定片とから構成された第２スイッチとが並設されると共に、前記第１ないし第４固定片を前記ケース外部と電気的に接続するために前記ケースから露出して設けられたコンタクトと、そのコンタクトの絶縁保護のためにその外周に設けられたコネクタシェルとから構成されたコネクタを備え、前記第１ドアの開／閉と前記第２ドアの開／閉の組み合わせに応じて、前記コネクタに接続された電気機器の動作を断続させるための貯蔵庫用ドアスイッチにおいて、前記第１可動片は、前記第２固定片と接触する接点爪と前記第１摺動ピンの中心とを結ぶ仮想直線に対して互いに線対称状に形成されて前記ケースの内壁に接する２つの安定爪を備えて平面形状に形成され、前記第２可動片は、前記第１可動片と同一形状であって、前記第４固定片と接触する接点爪と前記第２摺動ピンの中心とを結ぶ仮想直線に対して互いに線対称状に形成されて前記ケースの内壁に接する２つの安定爪を備えて平面形状に形成され、前記ケースの下面の前記第１可動片の２つの安定爪のそれぞれに対応する位置に、前記第１摺動ピンが前記ケース下方へ押し込まれた状態における前記第１可動片の接点爪と前記第２固定片との接触位置の前記下面からの距離とほぼ同一高さの第１可動片係止部材を立設し、前記ケースの下面の前記第２可動片の２つの安定爪のぞれぞれに対応する位置に、前記第２摺動ピンが前記ケース下方へ押し込まれた状態における前記第２可動片の接点爪と前記第４固定片との接触位置の前記下面からの距離とほぼ同一高さの第２可動片係止部材を立設したことを特徴とするものである。
【００３０】
請求項２記載の貯蔵庫用ドアスイッチは、請求項３記載の貯蔵庫用ドアスイッチにおいて、前記第１及び第２可動片には、それらの互いの形状の同一性を保持しつつ、それぞれ誤装着防止爪が形成される一方、前記ケースには、前記第１及び第２可動片が表裏正しく装着された場合には前記第１及び第２可動片のそれぞれの前記誤装着防止爪に干渉しないが、表裏を誤って装着された場合には、前記第１及び第２可動片のそれぞれの誤装着防止爪に干渉する第１及び第２の干渉部材が設けられていることを特徴とするものである。
【００３１】
請求項３記載の貯蔵庫用ドアスイッチは、請求項３または４記載の貯蔵庫用ドアスイッチにおいて、前記第１摺動ピン及び第２摺動ピンのそれぞれの前記ケース内側の一端に設けられた前記第１及び第２ストッパの下部は、面取り形状に形成されていることを特徴とするものである。
【発明の効果】
【００３２】
請求項１に係る発明によれば、前記第１可動片及び第２可動片のそれぞれの安定爪に対応して第１可動片係止部材及び第２可動片係止部材を設けたため、前記第１可動片または第２可動片の接点爪と、前記第２固定片または第４固定片との接触が、第１または第２摺動品の往復運動によらずに安定し、確実な電気的接触が得られる。したがって、貯蔵庫用ドアスイッチの信頼性が向上する。また、第１可動片及び第２可動片は平面形状に形成されているため、それを支持する第１及び第２可動片係止部材の上端の形状は精度の高い平面である必要はなく低コストで形成することができる。また、第１可動片及び第２可動片は互いに同一形状であるため、１つの可動片としての部品を第１可動片としても第２可動片としても使用することができ、製造コストを低減することができる。
【００３３】
請求項２に係る発明によれば、前記第１及び第２可動片には、それらの互いの形状の同一性を保持しつつ、それぞれ誤装着防止爪が形成される一方、第１及び第２の干渉部材が設けられているため、貯蔵庫用ドアスイッチの組立て過程において、第１可動片または第２可動片を裏表逆に装着してしまうことを未然に防ぐことができるため、結果的に製造コストを低減することかできる。
【００３４】
請求項３に係る発明によれば、前記第１摺動ピン及び第２摺動ピンのそれぞれの前記ケース内側の一端に設けられた前記第１及び第２ストッパの下部は、面取り形状に形成されているため、前記第１及び第２可動片係止部材の存在により、前記第１摺動ピン及び第２摺動ピンの往復動作が阻害されることがなく、貯蔵庫用ドアスイッチの信頼性が向上する。
【発明を実施するための最良の形態】
【００３５】
請求項１記載の構成によれば、前記第２固定片と接触する接点爪と前記第１摺動ピンの中心とを結ぶ仮想直線に対して互いに線対称状に形成されて前記ケースの内壁に接する２つの安定爪を備えて面形状に形成された前記第１可動片と、前記第１可動片と同一形状であって、前記第４固定片と接触する接点爪と前記第２摺動ピンの中心とを結ぶ仮想直線に対して互いに線対称状に形成されて前記ケースの内壁に接する２つの安定爪を備えて平面形状に形成された前記第２可動片は、押し込まれる第１または第２摺動ピンの移動に伴って移動するが、前記第１可動片の接点爪が前記第２固定片に当接し、または、前記第２可動片の接点爪が前記第４固定片に当接すると、この後更に第１または第２摺動ピンが押し込まれて移動しても、第２コイルバネまたは第４コイルバネが収縮するこでその更なる移動が吸収されて、前記第２固定片または第４固定片の高さに保持される。また、それと同時に、前記第１可動片に形成された２つの安定爪、または、前記第２可動片に形成された２つの安定爪は、前記ケース下面のそれらの安定爪にそれぞれ対応した位置に立設された、前記第１摺動ピンが前記ケース下方へ押し込まれた状態における前記第１可動片の接点爪と前記第２固定片との接触位置の前記下面からの距離とほぼ同一の高さの第１可動片係止部材、または、前記第２摺動ピンが前記ケース下方へ押し込まれた状態における前記第２可動片の接点爪と前記第４固定片との接触位置の前記下面からの距離とほぼ同一の高さの第２可動片係止部材に係止される。その場合、第１可動片または第２可動片にそれぞれ形成された２つの安定爪は、第１または第２摺動ピンに対して接点爪と対向する配置で線対称の位置に形成されているため、第１可動片または第２可動片は、それぞれの接点爪及び２つの安定爪の３点で安定して支持されることにより、水平を保ち、それにより、それらの接点爪と、前記第２固定片または第４固定片との接触が、第１または第２摺動ピンの往復運動によらずに安定する。
【００３６】
また、第１可動片及び第２可動片は、平面形状に形成されているため、それを支持する第１及び第２可動片係止部材の上端の形状は精度の高い平面である必要はなく、低コストで形成することができる。
【００３７】
また、第１可動片及び第２可動片は、互いに同一の形状であるため、１つの可動片としての部品を第１可動片としても第２可動片としても使用することができる。
【００３８】
また、前記第１可動片または第２可動片にそれぞれ形成された２つの安定爪は、前記ケースの内壁に接しているため、前記第１可動片または第２可動片は前記第１摺動ピンまたは第２摺動ピンを軸として回動することができず、それらの接点爪と前記第２固定片または第４固定片との接触が安定する。
【００３９】
請求項２記載の構成によれば、前記第１及び第２可動片には、それらの互いの形状の同一性を保持しつつ、それぞれ誤装着防止爪が形成される一方、前記ケースには、前記第１及び第２可動片が表裏正しく装着された場合には前記第１及び第２可動片のそれぞれの前記誤装着防止爪に干渉しないが、表裏を誤って装着された場合には、前記第１及び第２可動片のそれぞれの誤装着防止爪に干渉する第１及び第２の干渉部材が設けられているため、貯蔵庫用ドアスイッチの組立て過程において、第１可動片または第２可動片を裏表逆に装着してしまうことを未然に防ぐことができる。つまり、前記第１及び第２可動片は、同一形状であり、かつ、線対称状に２つの安定爪を形成したため、一見すると、それらを裏返しても見分けがつきにくい。そこで、裏返すと物理的に装着不可能になるように、前記ケースに第１及び第２の干渉部材を設け、前記第１及び第２可動片にはそれぞれ誤装着防止爪を設けることにより、上記不具合を解消することができる。また、前記第１及び第２可動片は、誤装着防止爪が形成されても、互いに同一形状であるため、１つの可動片としての部品を第１可動片としても第２可動片としても使用することができる。
【００４０】
請求項３記載の構成によれば、前記第１摺動ピン及び第２摺動ピンのそれぞれの前記ケース内側の一端に設けられた前記第１及び第２ストッパの下部は、面取り形状に形成されているため、前記第１及び第２可動片係止部材の存在により、前記第１摺動ピン及び第２摺動ピンの往復動作が阻害されることがない。つまり、前記第１及び第２可動片に形成される安定爪は、小型化という、貯蔵庫用ドアスイッチに求められる本来的要請のために、必要最小限の大きさにしか形成することができない。そのため、その安定爪に対応して設けられる前記第１及び第２安定爪係止部材は、それぞれ第１及び第２摺動ピンの往復動の移動範囲と干渉しないぎりぎりの位置に形成されることになる。したがって、前記第１及び第２安定爪係止部材を精度良く形成すれば良いが、そうすると製造コストの増大を招く。そこで、前記第１及び第２安定爪係止部材がそれぞれ前記第１及び第２摺動ピンの往復動の移動範囲と多少干渉することがあったとしても、その干渉する前記第１及び第２安定爪係止部材をそれぞれ面取り形状に形成された第１及び第２ストッパの下部が移動範囲外に押しのけるため、前記第１及び第２摺動ピンのスムーズな往復動が可能となる。
【実施例１】
【００４１】
以下、添付図面を参照しながら、本発明の実施例を詳細に説明する。なお、以下の説明において参照する図に示されるもののうち、従来構成を示す図１１ないし図１４と同一部分または相当する部分には、同一符号を付し、前記従来構成の説明と重複する部分については説明を省略する。
【００４２】
図１は、本発明の一実施例にかかる貯蔵庫用ドアスイッチの縦断側面図であり、図２は、本発明の一実施例にかかる貯蔵庫用ドアスイッチの、図１におけるＡ−Ａ線縦断面図である。
【００４３】
図１及び図２おいて、貯蔵庫用ドアスイッチは、絶縁材で作られ、スイッチ本体となるスイッチケース１に、互いに並設されたほぼ同一構成の第１スイッチ１０２及び第２スイッチ２０２、及び、後述するケース内の各固定片をケース１の外部と電気的に接続するためにケース１から露出して設けられたコンタクト３と、そのコンタクト３の絶縁保護のためにその外周にに設けられたコネクタシェル２とから構成されるコネクタ４とからなる。
【００４４】
なお、ケース１には、スイッチを貯蔵庫に取り付けるための取付爪６が左右に設けられている。
【００４５】
第１スイッチ１０２は、スイッチケースの上面に貫通して前記ケースの上下へ延び、前記ケースに対して上下に往復運動する第１ドア用第１摺動ピン１０３と、その第１摺動ピン１０３が挿入され、その第１摺動ピン１０３がその内壁に摺動することにより上下往復運動を支えるために前記ケース１の上面に配設された第１管状ガイド１１０と、前記第１摺動ピン１０３の延長上の前記ケース１内にあって常時前記第１摺動ピン１０３を前記ケース１上方へ付勢する第１コイルバネ１０４と、前記第１摺動ピン１０３の前記ケース１内側の一端に設けた第１ストッパ１０５に当接するように前記第１摺動ピン１０４の周囲に可動的に嵌められた第１可動片１０６と、前記ケース１内にのびた前記第１摺動ピン１０３の周囲に前記第１可動片１０６と間隔を保って配設された第１固定片１０７と、一端が前記第１可動片１０６に当接し他端が前記第１固定片１０７に当接して前記第１摺動ピン１０３に巻装され前記第１可動片１０６を前記第１ストッパ１０５に押圧保持する導電体の第２コイルバネ１０８と、前記第１摺動ピン１０３の往復動作に応じて前記第１可動片１０６と当接／離間する図示しない第２固定片１０９とから構成されている。
【００４６】
第２スイッチ２０２は、スイッチケースの上面に貫通して前記ケースの上下へ延び、前記ケースに対して上下に往復運動する第２ドア用第２摺動ピン２０３と、その第２摺動ピン２０３が挿入され、その第２摺動ピン２０３がその内壁に摺動することにより上下往復運動を支えるために前記ケース１の上面に配設された第２管状ガイド２１０と、前記第２摺動ピン２０３の延長上の前記ケース１内にあって常時前記第２摺動ピン２０３を前記ケース１上方へ付勢する第３コイルバネ１０４と、前記第２摺動ピン２０３の前記ケース１内側の一端に設けた第２ストッパ２０５に当接するように前記第２摺動ピン２０４の周囲に可動的に嵌められた第２可動片２０６と、前記ケース１内にのびた前記第２摺動ピン２０３の周囲に前記第２可動片２０６と間隔を保って配設された第２固定片２０７と、一端が前記第２可動片２０６に当接し他端が前記第２固定片２０７に当接して前記第２摺動ピン２０３に巻装され前記第２可動片２０６を前記第２ストッパ２０５に押圧保持する導電体の第４コイルバネ２０８と、前記第２摺動ピン２０３の往復動作に応じて前記第２可動片２０６と当接／離間する上側第４固定片２０９ａ及び下側第４固定片２０９ｂとから構成されている。
【００４７】
図２に示されるように、第２スイッチ２０２の第２可動片２０６の接点爪２０６ａは、従来構成のように、第１スイッチ１０２の第１可動片１０６の接点爪１０６ａと向かい合わせに配置されるのではなく、第１スイッチ１０２と第２スイッチ２０２の間の空間を避けて配置されている。
【００４８】
その接点爪２０６ａの配置に対応して、上側第４固定片２０９ａ及び下側第４固定片２０９ｂ固定片も第１スイッチ１０２と第２スイッチ２０２の間の空間を避けて配置されている。
【００４９】
第１スイッチ１０２においても同様であり、第１可動片１０６の接点爪１０６ａは、第２スイッチ２０２の第２接点爪２０６ａが、図２において摺動ピン２０３の左側に配置されているのに対し、同図において、摺動ピン１０３の右側に配置されて、第１スイッチ１０２と第２スイッチ２０２の間の空間を避けている。
【００５０】
その接点爪１０６ａの配置に対応して、前記図示しない第２固定片１０９も、第２スイッチ２０２の下側第４固定片２０９ｂと同様の配置で、第１スイッチ１０２と第２スイッチ２０２の間の空間を避けて配置されている。
【００５１】
なお、第１固定片１０７と、下側第４固定片２０９ｂとは、ケース１内で電気的に接続されている。
【００５２】
さて、上記したように、接点爪１０６ａ及び接点爪２０６ａを第１スイッチ１０２と第２スイッチ２０２の間の空間を避けて配置したことにより、その空間が開くことになるが、本実施例では、その空間に、コネクタシェル２となる凹部を、前記ケースの上面と対向する下面から形成し、その凹部にコンタクト３を露出させることによりコネクタ４を構成している。
【００５３】
これにより、コネクタ４がケース１本体に取り込まれた状態になり、従来のもののように、コネクタ４がケース１本体から突出することがないため、実質的なスイッチの小型化を実現できる。
【００５４】
なお、コンタクト３は、第２固定片１０９、第３固定片２０７及び上側第４固定片２０９ａｂのぞれぞれに対応した３つの端子から構成され、それらの端子は、それぞれ第２固定片１０９、第３固定片２０７及び上側第４固定片２０９ｂと電気的に接続されている。
【００５５】
また、本実施例では更に、前記第１管状ガイド１１０及び第２管状ガイド２１０は前記ケース１の上面からケース１内側に配設されている。
【００５６】
これにより、従来のもののように、ケース１本体から第１管状ガイド１１０及び第２管状ガイド２１０が突出することがなく、実質的なスイッチの小型化を実現できる。
【００５７】
また、第１固定片１０７及び第２固定片２０７は、それぞれ、第１摺動ピンまたは第２摺動ピンの周囲であって更に第１管状ガイド１１０または第２管状ガイド２１０の周囲に配設され、第２コイルバネ１０８及び第４コイルバネ２０８は、それぞれ、第１摺動ピンまたは第２摺動ピンの外周であって更に第１管状ガイド１１０または第２管状ガイド２１０の外周に巻装されている。
【００５８】
これにより、図１に示されるように、第１管状ガイド１１０または第２管状ガイド２１０の高さ程度の距離の絶縁距離を確保することができるため、第１管状ガイド１１０及び第２管状ガイド２１０を前記ケース１の上面からケース１内側に配設したことによりスイッチの安全性が損なわれることもない。
【００５９】
また、本実施例では、更に、第１可動片１０６または第２可動片２０６の正面図である図３に示すように、第１可動片１０６は、第２固定片１０９と接触する接点爪１０６ａと第１摺動ピン１０３の中心とを結ぶ仮想直線に対して互いに線対称状に形成されて前記ケースの内壁に接する２つの安定爪１０６ｃ及び１０６ｄを備えて平面形状に形成されている。
【００６０】
また、第２可動片２０６は、第１可動片１０６と同一形状であって、上側第４固定片２０９ａまたは下側第４固定片２０９ｂと接触する接点爪２０６ａと第２摺動ピン２０３の中心とを結ぶ仮想直線に対して互いに線対称状に形成されて前記ケースの内壁に接する２つの安定爪１０６ｃ及び１０６ｄを備えて平面形状に形成されている。
【００６１】
また、第１可動片１０６及び第２可動片２０６には、それらの互いの形状の同一性を保持しつつ、それぞれ誤装着防止爪１０６ｅ及び２０６ｅが形成されている。
【００６２】
一方、ケース１には、本実施例にかかる貯蔵庫用ドアスイッチの概略底面図である図４に示されるように、第１可動片１０６及び第２可動片２０６が表裏正しく装着された場合には第１可動片１０６及び第２可動片２０６のそれぞれの誤装着防止爪１０６ｅ及び２０６ｅに干渉しないが、表裏を誤って装着された場合には、第１可動片１０６及び第２可動片２０６のそれぞれの誤装着防止爪１０６ｅ及び２０６ｅに干渉する第１の干渉部材１１１及び第２の干渉部材２１１が設けられている。
【００６３】
これにより、図４に示されるように、裏表正しく装着された第１可動片１０６の誤装着防止爪１０６ｅと、干渉部材１１１とは干渉せず、また、裏表正しく装着された第２可動片２０６の誤装着防止爪２０６ｅと、干渉部材２１１とは干渉しない。
【００６４】
しかし、裏表誤って装着されたと想定した場合の、第１可動片１０６の仮想誤装着防止爪１０６ｅ（仮想）と、干渉部材１１１とは干渉し、また、裏表誤って装着されたと想定した場合の、第２可動片２０６の仮想誤装着防止爪２０６ｅ（仮想）と、干渉部材２１１とは干渉する。
【００６５】
したがって、第１可動片１０６及び第２可動片２０６が誤装着されることが無く、組立て過程においける組立て不良が生じるおそれがなくなる。
【００６６】
また、第１可動片１０６及び第２可動片２０６は、同一形状に形成されているため、第１可動片１０６を第２可動片２０６として使用することができ、製造コストを低減することがでる。
【００６７】
また、安定爪１０６ｃ及び１０６ｄ、及び、安定爪２０６ｃ及び２０６ｄは、ケース１内壁に接しているため、第１可動片１０６及び第２可動片２０６の、第１摺動ピン１０３または第２摺動ピン２０３を軸とする回転は、安定爪１０６ｃ及び１０６ｄの２点のケース１内壁への接触、及び、安定爪２０６ｃ及び２０６ｄの２点のケース１内壁への接触により阻害される。
【００６８】
したがって、接点爪１０６ａ及び接点爪２０６ａが、第１摺動ピン１０３または第２摺動ピン２０３を軸として回動することがなく、接点爪１０６ａまたは接点爪１０６ｂと、第２固定片１０９または上側第４固定片２０９ａ及び下側第４固定片２０９ｂとの電気的接触の確実性が確保させる。
【００６９】
なお、安定爪１０６ｃ、１０６ｄ、安定爪２０６ｃ及び２０６ｄは、図４を見て明らかなように、第１可動片１０６または第２可動片２０６と、れそらと接する程に小型化されたケース１の内壁との間に生じる狭い空間に有効に配置されているため、安定爪１０６ｃ、１０６ｄ、安定爪２０６ｃ及び２０６ｄの存在が、ケース１の小型化を阻害することは実質的にない。
【００７０】
更に本実施例では、本実施例にかかる貯蔵庫用ドアスイッチの概略斜視図であるり、第１スイッチ１０２については、第１摺動ピン１０３を除いて図示を省略した図５に示されるように、ケース１の前記下面の第１可動片１０６の２つの安定爪１０６ｃ及び１０６ｄのそれぞれに対応する位置に、第１摺動ピン１０３がケース１内側へ押し込まれた状態における第１可動片１０６の接点爪１０６ａと第２固定片１０９との接触位置の前記下面からの距離とほぼ同一高さの第１可動片係止部材１１２ｃ及び１１２ｄを立設し、同図に示されるように、前記ケース１の下面の第２可動片２０６の２つの安定爪２０６ｃ及び２０６ｄのぞれぞれに対応する位置に、前記第２摺動ピン２０３が前記ケース１内側へ押し込まれた状態における前記第２可動片２０６の接点爪２０６ａと前記第４固定片、この場合、下側第４固定片２０９ｂとの接触位置の前記下面からの距離とほぼ同一高さの第２可動片係止部材２１２ｃ及び２１２ｄを立設している。
【００７１】
これにより、図６に模式的に示されるように、第１可動片１０６は、第２固定片１０９に係止される接点爪１０６ａ、それぞれが第１可動片係止部材１１２ｃ及び１１２ｄに係止される安定爪１０６ｃ及び１０６ｄの３点でバランス良く保持されるため、第１可動片１０６は第２固定片１０９との接触状態において水平を保つことができ、第２固定片１０９との電気的接触が従来と比較してずっと確実になる。
【００７２】
同様に、第２可動片２０６は、下側第４固定片２０９ｂに係止される接点爪２０６ａ、それぞれが第２可動片係止部材２１２ｃ及び２１２ｄに係止される安定爪２０６ｃ及び２０６ｄの３点でバランス良く保持されるため、第２可動片２０６は下側第４固定片２０９ｂとの接触状態において水平を保つことができ、下側第４固定片１０９との電気的接触が従来と比較してずっと確実になる。なお、図６において１０６ｆ及び２０６ｆは、バネ固定用リブである。
【００７３】
また、第１可動片係止部材１１２ｃ及び１１２ｄ、または、第２可動片係止部材２１２ｃ及び２１２ｄは、図１２に示される従来の貯蔵庫用ドアスイッチの第１支持足保持部材５と比較するとその高さがずっと高いが、従来同様に、製造コストが安価な、樹脂成形により、ケース１の下側部と一体的に形成することができる。
【００７４】
つまり、樹脂成形する際の型の第１可動片係止部材１１２ｃ及び１１２ｄ、または、第２可動片係止部材２１２ｃ及び２１２ｄの上端に対応する部分に空気を逃がすための孔を設けることにより、ほぼ一定した高さでそれらを形成することができ、空気を逃がすための孔を設けることによりそれらの上端に生じたバリも、従来程には問題とはならない。
【００７５】
なぜなら、図１２に示される従来のものが、点接触する第１可動片支持足１０６ｂを確実に支えるために、支持足保持部材５の上端を平坦にする必要があったのに対して、本実施例のものは、第１可動片１０６及び第２可動片２０６が平面形状に形成されているため、必ずしも、第１可動片係止部材１１２ｃ及び１１２ｄ、または、第２可動片係止部材２１２ｃ及び２１２ｄの上端が平坦である必要はない。
【００７６】
ただし、第１可動片係止部材１１２ｃ及び１１２ｄ、または、第２可動片係止部材２１２ｃ及び２１２ｄの上端に生じるバリは、多少それらの高さをばらつかせる要因になりうるため、、空気を逃がすための孔は、それらの上端から多少へこませて形成することが望ましい。
【００７７】
さて、本実施例では、図５に示されるように、第１可動片係止部材１１２ｃ及び１１２ｄ、または、第２可動片係止部材２１２ｃ及び２１２ｄは、それらに対応する、安定爪１０６ｃ及び１０６ｄ、または、安定爪２０６ｃ及び２０６ｄが、スイッチの小型化のために、必要最小限の大きさでしか形成されていないことと関連して、往復動作する第１摺動ピン１０３または第２摺動ピン２０３の移動範囲、特に、第１ストッパまたは第２ストッパの移動範囲に非常に近接している。
【００７８】
そのため、第１可動片係止部材１１２ｃ及び１１２ｄ、または、第２可動片係止部材２１２ｃ及び２１２ｄは、第１ストッパまたは第２ストッパの移動範囲に干渉しがちである。特に、それらを樹脂成形により形成すればその傾向はいっそう顕著になる。
【００７９】
そのため、第１摺動ピン１０３または第２摺動ピン２０３として図７に示されるような第１ストッパまたは第２ストッパの下部の径が一定な従来の摺動ピンを使用したのでは、第１ストッパまたは第２ストッパの下部が、その移動範囲に干渉しうる第１可動片係止部材１１２ｃ、１１２ｄ、第２可動片係止部材２１２ｃまたは２１２ｄにより、その移動が阻害され、第１摺動ピン１０３または第２摺動ピン２０３のスムーズな往復動作がなされなくなるおそれがある。
【００８０】
そのため、本実施例では、図８に示されるように、第１摺動ピン１０３または第２摺動ピン２０３として、第１ストッパ１０５または第２ストッパ２０５の下部が、面取り形状に形成されたものを使用することにより、それらの移動範囲に干渉しうる第１可動片係止部材１１２ｃ、１１２ｄ、第２可動片係止部材２１２ｃまたは２１２ｄを、移動範囲外に押しのけるようにすることにより、上記不具合の発生を未然に防いでいる。
【００８１】
図９には貯蔵庫２０として冷凍冷蔵庫の一部を示し、それの冷凍室２１と冷蔵室２３とを隔てる隔壁には本実施例にかかる貯蔵庫用ドアスイッチが配置されている。
【００８２】
そして冷凍室２１を開閉するドア２２にて第１スイッチ１０２の摺動ピン１０３が往復動され、冷蔵室２３を開閉するドア２４にて第２スイッチ２０２の摺動ピン２０３が往復動される。
【００８３】
また、図１０に示されるように、コネクタ４のコンタクト３を構成する３つの端子のうち、第１スイッチ１０２の第２固定片１０９に接続されたもには、貯蔵庫２０の庫内すなわち、冷凍室２１と冷蔵室２３へ冷気を循環する電動送風機２５が接続され、第２スイッチ２０２の上側第４固定片２０９ａに接続されたもには、冷蔵室の照明用庫内灯２６が接続され、第２スイッチ２０２の第３固定片２０７に接続されたもには電源２７の一端が接続され、その電源２７の他端は、電動送風機２５及び照明用庫内灯２６が接続されている。
【００８４】
このような構成において、両ドア２２、２４が閉じているときは、各摺動ピン１０３及び２０３は、各ドアに押圧されて図１０に示すように第１可動片１０６は第２固定片１０９に接触し、また第２可動片２０６は、下側第４固定片２０９ｂに接触しており、庫内灯２６は消灯し、電動送風機２５は運転している。
【００８５】
いま、ドア２２が開くと第１摺動ピン１０３が第１コイルバネ２０４の復元力によりケース１上方へ向けて押し出されるため、第１可動片１０６は第２固定片１０９から離れて電動送風機２５は停止する。
【００８６】
また、ドア２４のみが開くと第２摺動ピン２０３が第３コイルバネ２０４の復元力によりケース１上方へ向けて押し出されるため第２可動片２０６は下側第４固定片２０９ｂを離れて上側第４固定片２０９ａに接触するため電動送風機２５は停止すると共に庫内灯２６が点灯する。
【００８７】
このよにして、ドア２２の開／閉とドア２４の開／閉の組み合わせに応じて前記コネクタ４に接続された電動送風機２５や庫内灯２６等の電気機器の動作を断続させることができる。
【図面の簡単な説明】
【００８８】
【図１】本発明の一実施例にかかる貯蔵庫用ドアスイッチの縦断側面図である。
【図２】本発明の一実施例にかかる貯蔵庫用ドアスイッチの図１におけるＡ−Ａ線縦断面図である。
【図３】本発明の一実施例にかかる貯蔵庫用ドアスイッチの可動片の平面図である。
【図４】本発明の一実施例にかかる貯蔵庫用ドアスイッチの模式底面図である。
【図５】本発明の一実施例にかかる貯蔵庫用ドアスイッチの模式斜視図である。
【図６】固定片に当接する位置での本発明の一実施例にかかる貯蔵庫用ドアスイッチの可動片を示す図である。
【図７】従来の貯蔵庫用ドアスイッチに使用される従来の摺動ピンを示す図である。
【図８】本発明の一実施例にかかる貯蔵庫用ドアスイッチの摺動ピンを示す図である。
【図９】本発明の一実施例にかかる貯蔵庫用ドアスイッチと、それが配置される冷蔵庫の一部を示す図である。
【図１０】本発明の一実施例にかかる貯蔵庫用ドアスイッチを用いた貯蔵庫の電気回路図である。
【図１１】従来の貯蔵庫用ドアスイッチの縦断側面図である。
【図１２】従来の貯蔵庫用ドアスイッチの模式斜視図である。
【図１３】従来の貯蔵庫用ドアスイッチの可動片の平面図である。
【図１４】固定片に当接する位置での従来の貯蔵庫用ドアスイッチの可動片を示す図である。
【符号の説明】
【００８９】
１  ケース
２  コネクタシェル
３  コンタクト
４  コネクタ
５  第１支持足保持部材
６  取付爪
２０  冷蔵庫
２１  冷凍室
２２、２４  ドア
２３  冷蔵室
２５  電動送風機
２６  照明用庫内灯
２７  電源
１０２  第１スイッチ
１０３  第１摺動ピン
１０４  第１コイルバネ
１０５  第１ストッパ
１０６  第１可動片
１０６ａ、２０６ａ  接点爪
１０６ｂ  可動片支持足
１０６ｃ、１０６ｄ、２０６ｃ、２０６ｄ  安定爪
１０６ｅ、２０６ｅ  誤装着防止爪
１０６ｆ、２０６ｆ  バネ固定用リブ
１０７  第１固定片
１０８  第２コイルバネ
１０９  第２固定片
１１０  第１管状ガイド
１１１  第１干渉部材
１１２ｃ、１１２ｄ  第１可動片係止部材
２０２  第２スイッチ
２０３  第２摺動ピン
２０４  第３コイルバネ
２０５  第２ストッパ
２０６  第２可動片
２０７  第３固定片
２０８  第４コイルバネ
２０９ａ  上側第４固定片
２０９ｂ  下側第４固定片
２１０  第２管状ガイド
２１１  第２干渉部材
２１２ｃ、２１２ｄ  第２可動片係止部材
【図１】
2004170069.tif 000003
【図２】
2004170069.tif 000004
【図３】
2004170069.tif 000005
【図４】
2004170069.tif 000006
【図５】
2004170069.tif 000007
【図６】
2004170069.tif 000008
【図７】
2004170069.tif 000009
【図８】
2004170069.tif 000010
【図９】
2004170069.tif 000011
【図１０】
2004170069.tif 000012
【図１１】
2004170069.tif 000013
【図１２】
2004170069.tif 000014
【図１３】
2004170069.tif 000015
【図１４】
2004170069.tif 000016